【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
一方の管Ｐの受口１に他方の管Ｐの挿し口２を水密パッキング３を介在して挿し込んだ継手部ａの水圧試験器Ａであり、
両側が閉じられた水密な円筒体１０からなり、この円筒体１０は、その筒軸方向一定長さを隔てて全周に亘る膨縮部１１、１１が形成され、その両膨縮部１１、１１間の外面に開口する注水ホース１２が接続されているとともに、円筒体１０内に開口する注水ホース１４が接続されており、
上記管Ｐ内に、上記継手部ａが上記両膨縮部１１、１１の間に位置するように上記円筒体１０を入れ、上記注水ホース１４から前記円筒体１０内に注水して前記両膨縮部１１、１１を膨張させて管Ｐ内面全周に亘り圧接して前記継手部ａの両側を水密とし、上記注水ホース１２から両膨縮部１１、１１間に注水する水圧試験器Ａにおいて、
上記膨縮部１１が弾性体製チューブからなり、そのチューブ１１の端縁全周に筒状固定金具２４を同一軸上に宛がって接合し、その固定金具２４を上記円筒体１０の両側を閉じる側板１６の全周のフランジ１６ｂにねじ止めしたことを特徴とする水圧試験器。
【請求項２】
一方の管Ｐの受口１に他方の管Ｐの挿し口２を水密パッキング３を介在して挿し込んだ継手部ａの水圧試験器Ａであり、
両側が閉じられた水密な円筒体１０からなり、この円筒体１０は、その筒軸方向一定長さを隔てて全周に亘る膨縮部１１、１１が形成され、その両膨縮部１１、１１間の外面に開口する注水ホース１２が接続されているとともに、円筒体１０内に開口する注水ホース１４が接続されており、
上記管Ｐ内に、上記継手部ａが上記両膨縮部１１、１１の間に位置するように上記円筒体１０を入れ、上記注水ホース１４から前記円筒体１０内に注水して前記両膨縮部１１、１１を膨張させて管Ｐ内面全周に亘り圧接して前記継手部ａの両側を水密とし、上記注水ホース１２から両膨縮部１１、１１間に注水する水圧試験器Ａにおいて、
上記膨縮部１１が弾性体製チューブからなり、上記円筒体１０の両側を閉じる側板１６の間にテンションバー２６を掛け渡し、そのテンションバー２６には前記両側板１６を離れる方向に付勢するバネ２８を設けたことを特徴とする水圧試験器。
【請求項３】
上記テンションバー２６の一端は上記円筒体１０の側面を閉じる側板１６に水密性をもって移動自在に貫通してナット２７がねじ込まれ、上記バネは前記側板とテンションバー２６の止め具２６ａの間に介設され、前記ナット２７のねじ込み量により、前記側板１６と止め具２６ａの間隔が調整されることを特徴とする請求項２に記載の水圧試験器。
【請求項４】
一方の管Ｐの受口１に他方の管Ｐの挿し口２を水密パッキング３を介在して挿し込んだ継手部ａの水圧試験器Ａであり、
両側が閉じられた水密な円筒体１０からなり、この円筒体１０は、その筒軸方向一定長さを隔てて全周に亘る膨縮部１１、１１が形成され、その両膨縮部１１、１１間の外面に開口する注水ホース１２が接続されているとともに、円筒体１０内に開口する注水ホース１４が接続されており、
上記管Ｐ内に、上記継手部ａが上記両膨縮部１１、１１の間に位置するように上記円筒体１０を入れ、上記注水ホース１４から前記円筒体１０内に注水して前記両膨縮部１１、１１を膨張させて管Ｐ内面全周に亘り圧接して前記継手部ａの両側を水密とし、上記注水ホース１２から両膨縮部１１、１１間に注水する水圧試験器Ａにおいて、
上記膨縮部１１が弾性体製チューブからなり、そのチューブ１１の端縁を上記円筒体１０の両側を閉じる側板１６の全周のフランジに固定し、かつ、その固定部内側端縁のチューブ１１外周にそのチューブ１１を内側に押した状態とする固定リング５１を嵌めたことを特徴とする水圧試験器。
【請求項５】
一方の管Ｐの受口１に他方の管Ｐの挿し口２を水密パッキング３を介在して挿し込んだ継手部ａの水圧試験器Ａであり、
両側が閉じられた水密な円筒体１０からなり、この円筒体１０は、その筒軸方向一定長さを隔てて全周に亘る膨縮部１１、１１が形成され、その両膨縮部１１、１１間の外面に開口する注水ホース１２が接続されているとともに、円筒体１０内に開口する注水ホース１４が接続されており、
上記管Ｐ内に、上記継手部ａが上記両膨縮部１１、１１の間に位置するように上記円筒体１０を入れ、上記注水ホース１４から前記円筒体１０内に注水して前記両膨縮部１１、１１を膨張させて管Ｐ内面全周に亘り圧接して前記継手部ａの両側を水密とし、上記注水ホース１２から両膨縮部１１、１１間に注水する水圧試験器Ａにおいて、
上記両膨縮部１１、１１間の外面に開口する注水ホース１２の開口部から前記膨縮部１１の間に複数の突起４２、４３を設け、その突起間で導水路４１を形成したことを特徴とする水圧試験器。
【請求項６】
上記突起４２が、上記注水ホース１２の開口部から上記膨縮部１１に至る突条からなることを特徴とする請求項５に記載の水圧試験器。
【請求項７】
一方の管Ｐの受口１に他方の管Ｐの挿し口２を水密パッキング３を介在して挿し込んだ継手部ａの水圧試験器Ａであり、
両側が閉じられた水密な円筒体１０からなり、この円筒体１０は、その筒軸方向一定長さを隔てて全周に亘る膨縮部１１、１１が形成され、その両膨縮部１１、１１間の外面に開口する注水ホース１２が接続されているとともに、円筒体１０内に開口する注水ホース１４が接続されており、
上記管Ｐ内に、上記継手部ａが上記両膨縮部１１、１１の間に位置するように上記円筒体１０を入れ、上記注水ホース１４から前記円筒体１０内に注水して前記両膨縮部１１、１１を膨張させて管Ｐ内面全周に亘り圧接して前記継手部ａの両側を水密とし、上記注水ホース１２から両膨縮部１１、１１間に注水する水圧試験器Ａにおいて、
上記両膨縮部１１にその全周に亘る突条２１を設けて、この突条２１が上記管Ｐ内面に圧接するようにしたことを特徴とする水圧試験器。
【請求項８】
一方の管Ｐの受口１に他方の管Ｐの挿し口２を水密パッキング３を介在して挿し込んだ継手部ａの水圧試験器Ａであり、
両側が閉じられた水密な円筒体１０からなり、この円筒体１０は、その筒軸方向一定長さを隔てて全周に亘る膨縮部１１、１１が形成され、その両膨縮部１１、１１間の外面に開口する注水ホース１２が接続されているとともに、円筒体１０内に開口する注水ホース１４が接続されており、
上記管Ｐ内に、上記継手部ａが上記両膨縮部１１、１１の間に位置するように上記円筒体１０を入れ、上記注水ホース１４から前記円筒体１０内に注水して前記両膨縮部１１、１１を膨張させて管Ｐ内面全周に亘り圧接して前記継手部ａの両側を水密とし、上記注水ホース１２から両膨縮部１１、１１間に注水する水圧試験器Ａにおいて、
上記膨縮部１１が弾性体製チューブからなり、そのチューブ１１の端縁全周外面に縮径可能な筒状固定具２２を嵌めるとともに、チューブ１１の端縁全周内面に上記円筒体１０の両側を閉じる側板１６の全周の筒状フランジを嵌め、前記固定具の外面に締結バンド１８を嵌めて締め付けたことを特徴とする水圧試験器。
【請求項９】
上記筒状固定具２２がゴムなどの弾性体からなることを特徴とする請求項８に記載の水圧試験器。
【請求項１０】
一方の管Ｐの受口１に他方の管Ｐの挿し口２を水密パッキング３を介在して挿し込んだ継手部ａの水圧試験器Ａであり、
両側が閉じられた水密な円筒体１０からなり、この円筒体１０は、その筒軸方向一定長さを隔てて全周に亘る膨縮部１１、１１が形成され、その両膨縮部１１、１１間の外面に開口する注水ホース１２が接続されているとともに、円筒体１０内に開口する注水ホース１４が接続されており、
上記管Ｐ内に、上記継手部ａが上記両膨縮部１１、１１の間に位置するように上記円筒体１０を入れ、上記注水ホース１４から前記円筒体１０内に注水して前記両膨縮部１１、１１を膨張させて管Ｐ内面全周に亘り圧接して前記継手部ａの両側を水密とし、上記注水ホース１２から両膨縮部１１、１１間に注水する水圧試験器Ａにおいて、
上記円筒体１０の周囲にキャスター１９を設けて円筒体１０が移動自在になっており、そのキャスター１９の支持杆２０は、前記円筒体１０に揺動自在に設けられているとともに円筒体１０に設けられたボルト３３が挿通し、そのボルト３３には、支持杆２０の内側への揺動を阻止するナット３４がねじ込まれており、そのナット３４のねじ込み位置により前記支持杆２０が任意の揺動位置で固定されることを特徴とする水圧試験器。